(57)【要約】【課題】  点灯中における光源の陰影がグローブの正面側に表れ難くすることができる電球型ランプを提供する。【解決手段】  球形のグローブ１の背部側にカバー体２を設け、このカバー体内にＬＥＤ用基板４に取り付けてあるＬＥＤ５及びＬＥＤ用基板４の背面側に位置してある絶縁板６並び制御回路ユニット８を設けてある制御基板７を配置してあり、ＬＥＤ用基板４はその背面で絶縁板６と密着され、ＬＥＤ用基板４、絶縁板６及びカバー体２のそれぞれの背面に放熱膜を形成し、絶縁板６がカバー体２に接触されている。【選択図】        図１
2010153101.tif 000002
【特許請求の範囲】
【請求項１】
グローブ、このグローブの一端側である背部側に設けてあるカバー体、このカバー体に連続している口金、上記カバー体内に配置してあるＬＥＤ用基板、このＬＥＤ用基板に取り付けてあるＬＥＤ及び上記ＬＥＤ用基板の背面側に配置してある絶縁板を備えていることを特徴とする電球型ランプ。
【請求項２】
絶縁板の背面側には、制御回路ユニットを設けてある制御基板を配置してあることを特徴とする請求項１記載の電球型ランプ。
【請求項３】
ＬＥＤ用基板はその背面で絶縁板と密着されており、上記ＬＥＤ用基板及び絶縁板のそれぞれの背面に放熱膜を形成してあり、上記絶縁板がカバー体に接触されていることを特徴とする請求項１又は請求項２記載の電球型ランプ。
【請求項４】
ＬＥＤ用基板はその背面で絶縁板と密着されており、上記ＬＥＤ用基板、絶縁板及びカバー体のそれぞれの背面に放熱膜を形成してあり、上記絶縁板が上記カバー体に接触されていることを特徴とする請求項１又は請求項２記載の電球型ランプ。
【発明の詳細な説明】
【技術分野】
【０００１】
この発明は、事務所、一般住宅、店舗、学校、冷凍庫、看板などに用いられる光源がＬＥＤである電球型ランプに関するものである。
【背景技術】
【０００２】
電球型ランプとして、光源である蛍光体を用いて発光する発光管を組み込んでいる蛍光ランプ（例えば特開平９−３２０５３０号公報及び特開２００５−２８１３４１号公報）、光源であるＬＥＤ（発光ダイオード）を組み込んでいるＬＥＤランプ（例えば実開平１−１２３３６９号公報）が提案されている。
近時、これら電球型の蛍光体ランプ及びＬＥＤランプは、白熱照明灯と比較して長寿命であってかつ消費電力が少ないことから、広く利用されている。
上記特開平９−３２０５３０号公報に記載の電球型蛍光ランプ（「従来例１」という。）は、ガラスグローブとケースとからなる外囲器内に発光管と点灯回路とを組み込んでいる。そして、上記特開２００５−２８１３４１号公報に記載の蛍光ランプ（「従来例２」という。）は、口金、ハウジング、蛍光ランプからなる発光管及び透明な外管からなるグローブを有している。また、上記実開平１−１２３３６９号公報に記載の電球型ＬＥＤランプ（「従来例３」という。）は、複数のＬＥＤを直列或いは直並列接続となるように実装したプリント配線板をステムに取り付け、これらをバルブ内に配設し、その端部に口金を取り付けているものである。
【特許文献１】特開平９−３２０５３０号公報
【特許文献２】特開２００５−２８１３４１号公報
【特許文献３】実開平１−１２３３６９号公報
【発明の開示】
【発明が解決しようとする課題】
【０００３】
上述した電球型ランプにおいて、点灯中、従来例１及び従来例２にあっては発光管の陰影がグローブの正面（前面）に線状に映し出され、美観を損なう課題があった。また、従来例３にあっては、ＬＥＤから発生する熱によってバルブ内の温度が上昇し、温度上昇がＬＥＤの劣化を招くおそれがある他に、ＬＥＤの陰影がバルブの正面に点（ドット）状に映し出され、上記従来例１及び従来例２と同じ課題がある。
この発明の目的は、点灯中における光源の陰影がグローブの正面側に表れ難くすることができる電球型ランプを提供することにある。
【課題を解決するための手段】
【０００４】
この発明の電球型ランプは、グローブ、このグローブの一端側である背部側に設けてあるカバー体、このカバー体に連続している口金、上記カバー体内に配置してあるＬＥＤ用基板、このＬＥＤ用基板に取り付けてあるＬＥＤ及び上記ＬＥＤ用基板の背面側に配置してある絶縁板を備えているものである。
この電球型ランプは、絶縁板の背面側に制御回路ユニットを設けてある制御基板を配置することによって光源であるＬＥＤの点灯・消灯の制御手段のユニット化を図ることができる。
この電球型ランプは、上記ＬＥＤ用基板とその背面に位置している絶縁板とが互いに密着され、上記ＬＥＤ用基板及び絶縁板のそれぞれの背面に放熱膜を形成し、上記絶縁板がカバー体に接触させることによって放熱効果を高めることができる。
この電球型ランプは、上記ＬＥＤ用基板とその背面に位置している絶縁板とが互いに密着され、上記ＬＥＤ用基板、絶縁板及びカバー体のそれぞれの背面に放熱膜を形成し、上記絶縁板がカバー体に接触させることによって放熱効果をより一層高めることができる。
【発明の効果】
【０００５】
この発明によれば、グローブの背部側内部にＬＥＤ及びＬＥＤ用の基板を配置してあるので、簡単な構成によってグローブ正面側の表面に光源であるＬＥＤの影が表れにくくなり、点灯中の電球型ＬＥＤランプの美観を損ねない。
【発明を実施するための最良の形態】
【０００６】
この発明に係る電球型ランプについて図面を参照して説明する。
図１及び図２に示す電球型ランプＬは、グローブ１、カバー体２、口金３、ＬＥＤ用基板４、ＬＥＤ５、絶縁板６、制御基板７及び制御回路ユニット８を備えている。
【０００７】
図１において、グローブ１はその材質や色彩は適宜であるが、本例ではポリカーボネート、蛍光塗料、拡散材及び変色防止材を混合配分した乳白色のプラスチックによって球形に成形されている。グローブ１の背部端部がカバー体２の下端外周部２ａの内面に嵌め込まれて支持されている。
カバー体２はプラスチックによってグローブ１側が開口となっている椀状に形成され、グローブの一端部側である背部側（図１上端部側）に口金３が連続されている。カバー体２には、図３及び図４に示すように複数の放熱孔２ｃを図４に示す例では４個所にあけてある。放熱孔２ｃは、後述するＬＥＤ５の発光に伴って電球型ランプＬ内の温度上昇を抑制するためのものである。カバー体２の内周面には、各放熱孔２ｃの下端側開口を被覆するようにフィルター１４を装着してある。フィルター１４は、各放熱孔２ｃを通じて電球型ランプＬ内への塵埃の浸入を防止するものである。
【０００８】
ＬＥＤ用基板４はカバー体２内に配置されている。ＬＥＤ用基板４の正面側である前面側（図１下面側）には複数のＬＥＤ５を実装してある。ＬＥＤ用基板４は円板状に形成されており、このＬＥＤ用基板にはその外形に沿って各ＬＥＤ５を所定の間隔を持って配置してある。各ＬＥＤ５には表面実装型のものが使用されている。ＬＥＤ用基板４は制御基板７と電気的に接続されている。
図１及び図２において、絶縁板６はＬＥＤ用基板４の背面（裏面）側に配置してある。絶縁板６は、その前面（表面）でＬＥＤ用基板４をビスや接着剤などの固定手段（図１の例ではビス１２）によって固定している。絶縁板６は円板状に形成され（図２）、カバー体２内に水平状態に保持されている。絶縁板６は、カバー体２の内面から突出されている受け台２ｂの下面に当てられ、ビス１３によって固定されている。絶縁板６の外周面はカバー体２の内周面に接触している。
なお、図２において、絶縁板６には、ＬＥＤ用基板４と制御基板７とを電気的に接続するための配線を通すための配線用の孔６ａを開けてある。
【０００９】
制御基板７は絶縁板６の背面（裏面）側に配置してある。制御基板７は、図示しない保持手段によってカバー体２内に水平状態に保持されている。制御基板７の背面にはＬＥＤ５を点消灯させる制御回路ユニット８を設けてある。制御回路ユニット８はコンデンサー８ａなどを有している。
【００１０】
図示する電球型ランプには、ＬＥＤ５から発生する熱によってグローブ１及びカバー体２内の温度上昇を抑制するために下記の放熱手段を組み込んである。
そこで、図３に示す放熱手段について説明する。
ＬＥＤ用基板４、絶縁板６及びカバー体２の各背面（図上面）には、全面に放熱膜であるセラミックコート膜９，１０，１１を塗布してある。ＬＥＤ用基板４のセラミックコート膜９は絶縁板６の前面に密着されており、絶縁板６の外周面はカバー体２の内周面に密着されている。
このため、ＬＥＤ５から発生した熱は、ＬＥＤ用基板４を通じてセラミックコート膜９から絶縁板６のセラミックコート膜１０を介してカバー体２のセラミックコート膜１１に伝えられ、カバー体２の外方へ放出される。
このように、セラミックコート膜９，１０，１１はＬＥＤ５の熱を吸収してカバー体２の外へ逃すことによってグローブ１内の熱を下げる役割を果たし、その結果として、これらのセラミックコート膜を有するＬＥＤ用基板４、絶縁板６及びカバー体２が一体となってヒートシンクの機能が発揮される。
【００１１】
上記構成の電球型ランプＬにおいて、ＬＥＤ５からの放射光は、その光軸を中心として円錐状（放射状）に広がり、グローブ１の正面側の照射面を透過して電球型ランプの正面側（図１下方側）へ面発光される。発光の際、ＬＥＤ５を支持しているＬＥＤ用基板４は、グローブ１の背部側のカバー体２内の絶縁板６の前面に固定されているために、ＬＥＤ５の放射角度が広がり、このために、面発光としての効果が発揮され、グローブ１の正面側の照射面へのＬＥＤ５の影がドット状に表れにくくなり、この効果はグローブ１の色彩が乳白色であることによってより一層発揮されている。
ＬＥＤ５から発生される熱は、上述したようにＬＥＤ用基板４から絶縁板６に吸収され、吸収された熱は絶縁板からグローブ１を経て外部に放出されて電球型ランプＬ内の高熱化が抑制される。ＬＥＤ用基板４、絶縁板６及びカバー体２のそれぞれのセラミックコート膜９，１０，１１によって高熱化の抑制がより一層効果的になる。
ＬＥＤ用基板４の熱は、一方で絶縁板６へ放熱されるが、他方でＬＥＤ用基板が接触しているカバー体２内面を通じてカバー体のセラミックコート膜１１に直接吸収される。
また絶縁板６の熱は、一方でカバー体２の受け台２ｂを通じてカバー体２のセラミックコート膜１１に吸収され、他方でその外周面がカバー内面に接触しているので、外周面を通じてカバー体のセラミックコート膜に吸収される。
さらに、電球型ランプＬ内の熱は、放熱孔２ｃからカバー体２の外へ排出されるので、ＬＥＤ５の発光に伴う温度上昇を抑制することができる。
【００１２】
グローブ１は、上述したように予め乳白色のポリカーボネートペレット、蛍光塗料ペレット、拡散材ペレット及び変色防止材のそれぞれの配分比率を所定の値に設定しておく。これらの材質の配合比率を適宜変更することによって、電球型ランプＬから投射される光の拡散、透視度及び光源からの投射率量の調整が図られる。
【００１３】
図示する電球型ランプＬでは、ＬＥＤ５を取り付けているＬＥＤ用基板４を支持している絶縁板６をグローブ１の背部側のカバー体２内に配置しているので、光軸を中心として放射状に広がるＬＥＤの光は、照射面までの距離が長くなるので、放射エリアが広がり、グローブの正面側の表面に各ＬＥＤ５のドット状の影が表れにくく、電球型ランプの設置場所やその用途の範囲が広がり、換言すれば、電球型ランプの利用範囲を広げることができる。
また、グローブ１はポリカーボネート、蛍光塗料、拡散材及び変色防止材を混合配分して乳白色のプラスチックによって構成されているので、光の拡散、透視度及び光源であるＬＥＤ５からの投射率量を調整することができ、グローブ背部側のカバー体２内にＬＥＤ５を配置してあることと相俟ってグローブの正面側の表面に各ＬＥＤ５によるドット状の影が表れにくくする効果がより良く発揮され、電球型ランプＬを多方面の照明手段として利用することができる。
【００１４】
上述した例では、乳白色のプラスチック製のグローブ１内に白色光のＬＥＤ５が配置されているが、グローブにおける色彩は、ＬＥＤ５の発光色と同系色（同一色を含む。）とすることが、グローブの表面にＬＥＤの影が表れることを極力制限する観点から望ましい。もちろん、グローブ１の材質及びその色彩並びにＬＥＤ５の発光色は上例に限定されない。
図１では、カバー体２と口金３とが別部材で構成されているが、それぞれを一体的に連続させても良い。カバー体２の材質は適宜であるが、プラスチックに限られずガラスなどであっても良い。
ＬＥＤ５の種類も図示の例に限定されず、弾丸型のものなど適宜であり、またＬＥＤの種類によってはＬＥＤ用基板４の背面に絶縁板６の正面（前面）を密着することができない場合には、ＬＥＤ用基板と絶縁板との間に放熱部を介在させるのが良い。放熱部として、例えばＬＥＤ用基板の背面から突出させた突出部で構成し、この突出部を絶縁板に接触させるなどであっても良い。
ＬＥＤ用基板４と絶縁板６とを密着できない場合には、ＬＥＤ用基板からカバー体２へ直接放熱するようにしても良い。
放熱膜９，１０，１１はセラミックコート膜に限られない。
【図面の簡単な説明】
【００１５】
【図１】この発明に係る電球型ランプを示す一部切欠正面図である。
【図２】図１のＩＩ−ＩＩ線断面図である。
【図３】この発明に係る電球型ランプに使用するカバー体、絶縁板、ＬＥＤ用基板の関係を示す正面図であって、カバー体を断面にしている図である。
【図４】この発明に係る電球型ランプに使用するカバー体を示す平面図である。
【符号の説明】
【００１６】
Ｌ                  電球型ランプ
１                  グローブ
２                  カバー体
３                  口金
４                  ＬＥＤ用基板
５                  ＬＥＤ
６                  絶縁板
７                  制御基板
８                  制御回路ユニット
９，１０，１１      セラミックコート膜（放熱膜）
【図１】
2010153101.tif 000003
【図２】
2010153101.tif 000004
【図３】
2010153101.tif 000005
【図４】
2010153101.tif 000006